【手続補正書】
【提出日】平成18年6月23日(2006.6.23)
【手続補正１】
【補正対象書類名】明細書
【補正対象項目名】００９９
【補正方法】変更
【補正の内容】
【００９９】
（表１）
Ｌ＝１７０７．５８ｍｍ
β＝１／４
ＮＡ＝１．２７
Ｐ１＝０．００８１６１７
Ｐ２＝−０．０１７９９８
Ｐ３＝０．００９８３７２
｜Ｐ１＋Ｐ２＋Ｐ３｜＝９ｅ−７
（φＬ２＿ｍａｘ＋φＬ３＿ｍａｘ）／（２＊Ｙ）＝０．７１２
θｐ＝４３．２〜４６．８
｜βＬ１／β｜＝７．１２
｜βＬ３＊ＮＡ｜＝０．１９３
｜ｈＭ／φＭ｜＝０．０１２
第１の物体〜第１面までの距離：２０．０９１９６ｍｍ
i        ri            di        硝材
1     818.81597    23.14313      SiO2
2    -247.34861     23.6483
3    -272.27915          15      SiO2
4   -1120.58463           1
5     444.39228    22.20115      SiO2
6    -580.35263    35.41712
7    -4523.2048    15.24964      SiO2
8    -446.14592    58.56371
9     783.53447    17.92753      SiO2
10    -474.54238           1
11     117.93848    28.88238      SiO2
12      946.0287    26.78585
13     418.30815    52.61328      SiO2
14   -1987.76889     21.3176
15     -89.95201        12.9      SiO2
16    -146.97057    62.63413
17     -94.70819    18.80086      SiO2
18    -141.24398    17.63229
19    -356.22086    24.64803      SiO2
20    -221.61818           1
21    -749.31334    54.13067      SiO2
22    -190.96409           1
23   -2088.24682    33.50817      SiO2
24     -312.5227   193.17291
25     392.21036    50.84129      SiO2
26    5064.90001    14.22486
27     274.73163    41.49067      SiO2
28     607.74068   293.50954
29    -217.89713    23.52297      SiO2
30    -576.96924    36.71521
31    -133.39279    15.00006      SiO2
32   -1796.50645    33.92345
33    -139.79119    22.70396      SiO2
34    -455.94044     41.6382
35    -190.16577    -41.6382                 M
36    -455.94044   -22.70396      SiO2
37    -139.79119   -33.92345
38   -1796.50645   -15.00006      SiO2
39    -133.39279   -36.71521
40    -576.96924   -23.52297      SiO2
41    -217.89713  -293.50954
42     607.74068   -41.49067      SiO2
43     274.73163   -14.22486
44    5064.90001   -50.84129      SiO2
45     392.21036   -73.17291
46             0   498.10328                 FM1
47             0         -95                 FM2
48    -315.29341   -48.56566      SiO2
49   -1433.89893    -1.00817
50    -246.12647   -50.76484      SiO2
51       -718.58   -95.43217
52     393.83195       -17.5      SiO2
53    -748.07119   -47.03871
54   -1306.50805         -15      SiO2
55    -250.52581   -31.15835
56    -985.18445         -15      SiO2
57    -217.48984   -83.77495
58    -3169.8111   -39.35369      SiO2
59      325.10882         -1
60     -424.77235  -69.59998      SiO2
61      541.42553  -22.21049
62      335.52519        -25      SiO2
63     1085.60933  -42.69733
64     -645.77026  -31.91298      SiO2
65    -4199.06678        -18
66              0   15.28974                 開口絞り
67     -584.26074  -40.70085      SiO2
68     3400.43228   -2.66518
69     -296.00597  -58.98251      SiO2
70    -3249.63702   -2.99788
71     -174.75047  -50.87952      SiO2
72     -417.06623   -3.65293
73      -96.87693  -57.96772      CaF2
74      -185.9659         -1
75      -71.13104  -42.03329      CaF2
76              0   -2.87554      water
非球面係数
i             K              A               B              C
4      1.116845E+02   -1.464007E-08   -5.079905E-14   1.071068E-16
12     -2.200835E+02   -1.877905E-07    3.749957E-11  -3.082301E-15
13      3.764983E+01   -5.487135E-08   -2.941492E-11  -2.571998E-15
16     -1.609740E+00    2.270452E-07    2.221228E-11  -7.293151E-16
24      1.954195E-01    7.942173E-09    5.259436E-14   9.441228E-19
33     -4.311613E-01    2.002386E-08    1.596568E-12   6.950046E-17
37     -4.311613E-01    2.002386E-08    1.596568E-12   6.950046E-17
52      1.109886E+00    1.351470E-08   -1.619739E-12   1.593760E-17
54     -8.400355E+01    1.993784E-08    1.054270E-12  -2.169139E-18
57      1.021183E-01   -1.426818E-09    4.250505E-15   7.468542E-17
58     -7.648330E+02    7.649542E-09   -2.849803E-13   1.070341E-17
69     -8.585218E-02    4.121077E-10    9.553498E-14  -1.733521E-18
72      2.027403E+00   -7.934585E-09   -1.713488E-13  -5.379751E-18
i             D              E               F              G
4     -1.247725E-20    3.198802E-24   -3.562827E-28   1.779710E-32
12      6.764231E-19   -9.250050E-23    2.167456E-26  -2.202085E-30
13      1.517741E-18   -8.342200E-22    2.189957E-25  -1.969149E-29
16     -2.422641E-19   -2.463494E-23    1.207492E-26  -8.546394E-31
24     -2.821889E-23    2.387643E-27   -8.674998E-32   1.500142E-36
33      1.780881E-21   -3.804714E-26    1.518435E-30  -5.589433E-34
37      1.780881E-21   -3.804714E-26    1.518435E-30  -5.589433E-34
52      2.572528E-21   -1.509903E-25    3.700194E-30  -3.426751E-35
54     -2.919614E-21   -2.075946E-26    6.540806E-30  -1.785118E-34
57     -1.634164E-21   -8.141978E-26    7.814875E-30  -2.461966E-34
58     -8.969455E-23    2.202690E-27   -2.978392E-32   8.343543E-37
69      2.512153E-23    1.768577E-28   -4.603931E-33   1.597585E-38
72      4.454515E-22   -3.967453E-26    1.641687E-30  -3.642490E-35
【手続補正２】
【補正対象書類名】明細書
【補正対象項目名】０１１４
【補正方法】変更
【補正の内容】
【０１１４】
（表２）
Ｌ＝１６８８．４３ｍｍ
β＝１／４
ＮＡ＝１．２７
Ｐ１＝０．００７６５７３
Ｐ２＝−０．０１７８１１２
Ｐ３＝０．０１０１５７
｜Ｐ１＋Ｐ２＋Ｐ３｜＝３．１ｅ−６
（φＬ２＿ｍａｘ＋φＬ３＿ｍａｘ）／（２＊Ｙ）＝０．６７６
θｐ＝４２．７〜４７．３
｜βＬ１／β｜＝７．７２
｜βＬ３＊ＮＡ｜＝０．１６７
｜ｈＭ／φＭ｜＝０．０１８
第１の物体〜第１面までの距離：３６．８３７１１ｍｍ
i        ri            di        硝材
1     983.25272    24.09514      SiO2
2    -331.72023    35.40756
3    -257.69109    15.00031      SiO2
4    -432.29206     8.01203
5     559.30138     30.4618      SiO2
6    -494.56014    20.01922
7    -973.87496    34.61535      SiO2
8    -223.56876    32.06524
9     379.89127    33.14299      SiO2
10    3495.70248           1
11     111.32793    29.99645      SiO2
12     316.88953    76.22508
13   930999.9644    40.65989      SiO2
14    -229.63171    17.96433
15    -118.65909    13.08073      SiO2
16    -312.30792    41.67593
17     -89.66234    20.82683      SiO2
18    -131.61158     9.36807
19    -319.19571    25.89459      SiO2
20    -202.63211    14.67571
21    -764.72536    52.82477      SiO2
22    -203.90909           1
23    -928.12586    33.19451      SiO2
24    -284.17001   189.72235
25     822.97621    38.67465      SiO2
26    -887.46613           1
27     266.75649    53.97937      SiO2
28     679.71465   272.96979
29    -326.85172      45.585      SiO2
30     337.73643    34.48079
31    -173.75762          15      SiO2
32    -441.82178    33.70541
33    -130.86445    21.36027      SiO2
34    -434.27424    40.16432
35    -191.23493   -40.16432                 M
36    -434.27424   -21.36027      SiO2
37    -130.86445   -33.70541
38    -441.82178         -15      SiO2
39    -173.75762   -34.48079
40     337.73643     -45.585      SiO2
41    -326.85172  -272.96979
42     679.71465   -53.97937      SiO2
43     266.75649          -1
44    -887.46613   -38.67465      SiO2
45     822.97621   -69.72235
46             0   510.33328                 FM1
47             0         -95                 FM2
48     -355.9221   -51.20976      SiO2
49   -3728.90796    -1.59168
50    -268.48681   -48.59239      SiO2
51    -755.59051  -117.99199
52     389.13976       -17.5      SiO2
53     776.89376    -2.59121
54   -6645.32789   -15.19068      SiO2
55    -158.96591   -35.64321
56    -648.36236         -15      SiO2
57     -212.7476   -70.40306
58   19003.87684   -39.90384      SiO2
59     290.06641    -4.46971
60    -393.31309   -55.46912      SiO2
61     595.55957   -28.42222
62      267.29442  -22.87413      SiO2
63      480.71797  -46.97546
64    -1864.22158  -32.63616      SiO2
65      679.88485    4.97111
66              0   -7.18334                 開口絞り
67     -248.28002   -59.4655      SiO2
68    18559.08635   -2.17274
69     -199.90595  -42.28962      SiO2
70     -501.45646   -3.84108
71      -105.2322  -47.64509      SiO2
72     -188.00198   -2.01685
73      -68.17785  -56.80623      SiO2
74              0   -2.47259      water
非球面係数
i             K              A              B             C
4     -9.761049E+00    3.184827E-08   3.139257E-13   3.734881E-17
12      8.234382E+00   -1.283386E-07   2.681804E-11  -3.052084E-15
13     -6.888302E+09   -1.691052E-07  -8.604362E-12  -2.589195E-15
16      6.692937E-01    1.547761E-07  -1.375236E-11   1.138495E-16
24      4.523053E-02    7.524906E-09   5.672192E-14   9.899510E-19
32      1.365205E+01   -4.439820E-08   1.250582E-12  -1.605082E-16
38      1.365205E+01   -4.439820E-08   1.250582E-12  -1.605082E-16
50     -1.359327E-01   -3.781526E-10  -4.290748E-16  -4.836543E-20
52      7.883747E-01    1.379962E-08  -1.633607E-12   4.169943E-17
57      2.358724E-01   -5.854009E-09   3.417272E-13   1.226408E-17
58      1.719737E+04    1.004903E-08  -2.135921E-13   4.277745E-18
69     -1.254391E-02   -1.475901E-09   4.106118E-13  -5.158051E-18
71     -6.072257E-02   -1.254805E-08   9.176790E-14   6.858823E-17
i             D              E               F              G
4     -4.467629E-21   9.127853E-25   -1.055576E-28   4.106171E-33
12      2.642857E-19  -2.189217E-23    1.763066E-27  -9.875592E-32
13      8.457425E-19  -2.320560E-22    3.160569E-26  -4.387570E-30
16      1.154370E-19  -9.899640E-24    3.560051E-29   2.086427E-32
24     -3.161667E-23   2.247914E-27   -7.882796E-32   1.168270E-36
32      6.897942E-21  -1.344401E-25   -2.126231E-29   2.631718E-33
38      6.897942E-21  -1.344401E-25   -2.126231E-29   2.631718E-33
50     -7.144176E-24   3.891220E-28   -2.132129E-32   3.894286E-37
52      1.271973E-21  -1.422992E-25    4.583328E-30  -5.527480E-35
57      2.737426E-21  -3.557467E-26   -5.154403E-30   1.627519E-34
58      1.080503E-22   5.310358E-27   -2.530184E-32   1.960246E-36
69      1.008831E-21  -5.336623E-27    4.022563E-31  -5.393224E-36
71      1.071563E-21  -1.127298E-26    3.222829E-29  -1.834670E-33